(57)【要約】【課題】  隣接トラックからの漏れ磁界等の影響を受けることなく、正確に記録／再生することが可能な光磁気記録再生装置を提供する。【解決手段】  記録信号または再生信号のアシンメトリを補正する手段をランドとグルーブに対応して２系統具備する。そして、情報記録時または情報再生時には、アシンメトリ補正手段の補正量を光磁気記録媒体のランド部とグルーブ部とで切り替える。これにより、記録ビット等に生じるアシンメトリをキャンセルし、ランド、グルーブに拘わらず安定した記録／再生を行う。【選択図】        図１
2005267747.tif 000002
【特許請求の範囲】
【請求項１】
複数のランド部とグルーブ部を備えた光磁気記録媒体上に記録データを記録し、或いは記録データを再生する光磁気記録再生装置において、記録信号又は再生信号のアシンメトリを補正する手段を備え、情報記録時或いは再生時には、前記アシンメトリ補正手段の補正量をランド部とグルーブ部とで切り替えることを特徴とする光磁気記録再生装置。
【請求項２】
前記アシンメトリ補正手段は、ランド部とグルーブ部とで、記録媒体に印加する記録磁界に与えるオフセットを切り替えることでアシンメトリの補正を行うことを特徴とする請求項１に記載の光磁気記録再生装置。
【請求項３】
前記アシンメトリ補正手段は、ランド部とグルーブ部とで、記録信号の遅延時間を切り替えることでアシンメトリの補正を行うことを特徴とする請求項１に記載の光磁気記録再生装置。
【請求項４】
前記アシンメトリ補正手段は、ランド部とグルーブ部とで、再生信号の２値化信号の立ち上がりエッジと立ち下がりエッジのタイミングを判別するウィンドウを切り替えることによりアシンメトリの補正を行うことを特徴とする請求項１に記載の光磁気記録再生装置。
【発明の詳細な説明】
【技術分野】
【０００１】
本発明は、磁気光学効果を利用して光ビームにより情報の記録或いは再生を行う光磁気記録再生装置に関するものである。
【背景技術】
【０００２】
近年、書き換え可能な高密度記録方式として、半導体レーザの熱エネルギーを利用して磁性薄膜に磁区を書き込んで情報を記録し、磁気光学効果を使って記録情報を読み出す光磁気記録媒体及び記録再生装置が注目されている。光磁気記録媒体は、コンピュータ等の大容量の取り外し可能（リムーバブル）な情報記録媒体として、広く使用されるようになってきている。
【０００３】
最近では、コンピュータやその他の情報処理装置で取り扱うデータが音声、画像、動画といった様々な情報に多様化し、それらの要求するデータサイズが増え続けていることから、この光磁気記録媒体の記録密度を高めて更に大容量の記録媒体とする要求が高まっている。
【０００４】
光磁気記録媒体は、記録密度に関し、光学系の解像限界よりも微小な記録マークを記録し、またこれを再生できるという点で、他の光記録媒体よりも優れている。例えば、特開平７―３３４８７７号公報（特許文献１）には、そのような光磁気記録再生方法の一例である磁気超解像再生方式が開示されている。更に、光学系の解像限界よりも微小な磁区を記録する方式としては、外部磁界の変調速度を十分に速めた磁界変調方式が一般に知られている。
【０００５】
また、特開平６−２９０４９６号公報（特許文献２）には、光磁気記録媒体において再生光の入射側に磁壁抗磁力の小さい磁壁移動層を設け、再生スポット内の温度勾配を利用して磁壁移動層の磁壁を高温側に移動させ、スポット内で磁区を拡大再生する方法が開示されている。同公報によれば、記録マークサイズが小さくなったとしても、磁区を拡大しながら信号を再生するので、再生光を有効に使うことができ、信号振幅を落とさずに解像力を上げることができる。
【特許文献１】特開平７―３３４８７７号公報
【特許文献２】特開平６−２９０４９６号公報
【発明の開示】
【発明が解決しようとする課題】
【０００６】
特許文献２に開示された磁壁移動を利用した再生方法は、超解像方式の中でも特に線記録密度に優れた方法である。即ち、磁壁の移動量が常に一定であれば、記録磁区の大きさに拘わらず一定の再生信号振幅が得られるという特徴がある。
【０００７】
一方、光磁気記録媒体の高密度化を追求していくと、線密度向上のほかに狭トラックピッチ化が求められるようになり、その一手段としてトラック案内溝のランド部／グルーブ部双方に情報記録を行う方法が有効である。ところが、この方式には以下のような問題点があった。
【０００８】
図７は特許文献２に示された磁壁移動媒体をランドグルーブ基板と組み合わせた時の断面を模式的に表す図である。図７（ａ）はグルーブに記録する場合を説明する図で、記録再生光は基板側から入射し、磁性膜（移動層１からメモリ層３までの総称）に集光すると同時に、コイル３６により磁性膜に外部磁界を印加する。
【０００９】
これにより、斜線で示すグルーブのメモリ層３の中で、レーザ照射によってキュリー温度に達した部分が外部磁界の向きに倣い、情報が記録される。ところが、実際には、ハッチングで示す隣接トラックの磁化状態に応じた漏れ磁界Ｈｌｅａｋ１１〜１４とコイル３６からの外部磁界が重ね合わさって記録トラックのメモリ層３に印加され、記録磁界にオフセットが加わった形になる。その結果、図８に示すように外部磁化の反転タイミングと記録磁区の形成位置にΔＴのずれが立ち上がり、立ち下りそれぞれに起こり、記録ビットにアシンメトリが生じる。図８（ａ）はクロックＣＬＫ、図８（ｂ）は外部磁界Ｈｗ、図８（ｃ）は記録磁区の形成位置を示す。
【００１０】
図７（ｂ）はランドに記録する場合を示すもので、グルーブ記録の時と同じ方法で記録すると、やはり隣接トラックからの漏れ磁界Ｈｌｅａｋ２１〜２４が加わるためにアシンメトリが生じる。ところが、図７（ａ）、（ｂ）を比較すると明らかなように、ランド記録とグルーブ記録では隣接トラックとの３次元的な位置関係が異なるため、漏れ磁界からの影響も異なっている。従って、漏れ磁界からの影響をキャンセルする措置を講じたとしてもランドとグルーブで最適な記録状態を両立させることは困難であった。
【００１１】
更に、図９は情報再生時の隣接トラックからの漏れ磁界の影響を示す図である。特許文献２に開示された磁壁移動媒体の場合、外部磁界により磁壁移動が影響を受ける場合があることが知られており、結果としてアシンメトリを生じることになる。図９（ａ）はグルーブ、図９（ｂ）はランドを再生する時に隣接トラックから受ける漏れ磁界を示しており、この場合も記録時と同様にグルーブとランドで影響の大きさが異なるために、生じるアシンメトリ量も異なる。即ち、ランド、グルーブの最適な再生条件を両立させることは困難であった。
【００１２】
本発明は、上記従来の課題を解決すべくなされたもので、その目的は、情報記録時或いは再生時にアシンメトリの補正量を光磁気記録媒体のランド部とグルーブ部とで切り替えることにより、隣接トラックからの漏れ磁界等の影響を受けることなく、正確に記録／再生することが可能な光磁気記録再生装置を提供することにある。
【課題を解決するための手段】
【００１３】
本発明は、上記課題を解決するため、複数のランド部とグルーブ部を備えた光磁気記録媒体上に記録データを記録し、或いは記録データを再生する光磁気記録再生装置において、記録信号又は再生信号のアシンメトリを補正する手段を備え、情報記録時或いは再生時には、前記アシンメトリ補正手段の補正量をランド部とグルーブ部とで切り替えることを特徴とする。
【発明の効果】
【００１４】
本発明によれば、ランド、グルーブそれぞれに最適なアシンメトリ補正回路を備え、記録或いは再生時には、ランドとグルーブに応じてアシンメトリの補正量を切り替えることにより、常に安定した情報記録再生が行えるという効果がある。
【発明を実施するための最良の形態】
【００１５】
次に、発明を実施するための最良の形態について図面を参照して詳細に説明する。
【００１６】
（第１の実施形態）
図１は本発明による記録時にアシンメトリ補正を行う場合の一実施形態を示すブロック図である。まず、図示しないＣＰＵ、エンコーダ等の回路により処理された記録データは、データ発生回路３１によって同期信号等が付加され、実際に光磁気記録媒体であるディスク（図示せず）上に記録する信号に変換される。通常はデータ発生回路３１からの出力信号をドライバ回路３３に入力し、ドライバ回路３３は入力信号に従ってコイル３６を駆動する。ディスクとしては、例えば、図７に示す層構成とし、ランドとグルーブの両方に情報を記録し或いは再生するものとする。コイル３６はディスク面に近接して配置された磁気ヘッド（図示せず）のコイルである。
【００１７】
この際、図示しない半導体レーザの出射パワーを高パワーとし、メモリ層３をキュリー温度まで昇温させながら記録信号に応じてコイル３６を駆動することで、媒体上に情報記録を行う。本実施形態では、電源３５ａ、３５ｂのバイアスをスイッチ３４を通じてドライバ回路３３に供給することで、コイル３６から発生する記録磁界にオフセットを加える。
【００１８】
図２はこの時の各部の信号を表す図である。図２（ａ）はデータ記録の基本クロック、図２（ｂ）はコイル３６から発生する記録磁界、図２（ｃ）はデータの記録タイミングを示す。この媒体の場合、オフセット磁界を加えずに情報記録を行うと、正側のピットが２×ΔＴだけ長めに記録されてしまう。そこで、本実施形態では、オフセット磁界を負側に与え、記録時のアシンメトリをキャンセルすることで図２（ｃ）に示すようにクロックとタイミングを合わせた記録を行う。
【００１９】
更に、オフセット磁界を設定するための電源をＥＬ，ＥＧと二系統備え、極性切り替え器３２によって記録するトラックがランドかグルーブかに応じてスイッチ３４を切り替えることにより、ランド、グルーブそれぞれに適したオフセット磁界を加え、常に最適な情報記録を行う。即ち、電源ＥＬはランドに最適記録を行うのに適したオフセット磁界を与えるための電圧値に設定され、電源ＥＧはグルーブに最適記録を行うのに適したオフセット磁界を与えるための電圧値に設定されており、ランドに情報を記録する場合には電源ＥＬに、グルーブに情報を記録する場合には電源ＥＧに切り替えることで、ランド、グルーブ双方において最適記録を行う。
【００２０】
（第２の実施形態）
図３は本発明の第２の実施形態を示すブロック図である。図中、図１と同一部分には同一符号を付している。データ発生回路３１で生成された記録信号は、論理積回路３８及び遅延回路３７ａ，３７ｂに入力される。遅延回路３７ａ，３７ｂの出力信号はスイッチ３４に入力され、極性切り替え器３２により記録トラックがランドかグルーブかによってどちらかが選択される。そして、論理積回路３８により記録信号と選択された遅延回路との論理積がとられ、ドライバ回路３３に供給される。
【００２１】
図３の各部の信号を図４に示す。図４（ａ）はデータ記録の基本クロックである。また、図４（ｂ）〜（ｅ）は図３の（ｂ）〜（ｅ）の信号に対応し、図４（ｂ）はデータ発生回路３１の出力信号、図４（ｃ）はスイッチ３４の出力信号、図４（ｄ）は論理積回路３８の出力信号、図４（ｅ）はコイル３６から発生する記録磁界である。更に、図４（ｆ）は記録データを示す。
【００２２】
遅延回路の遅延量は２ｘΔＴに設定されており、ドライバ回路３３への入力信号は２ｘΔＴだけデューティーサイクルが短くなっている。これと、記録磁界と記録情報のタイミングのずれ分ΔＴにより、記録された情報ビットは立ち上がり、立ち下がりともにクロックよりもΔＴだけ遅れて形成されることになる。
【００２３】
ここで、ランドとグルーブでは遅延すべきΔＴが異なっており、遅延回路３７ａの遅延時間はランドに記録する場合に記録ビットのアシンメトリが生じないΔＴに設定され、遅延回路３７ｂの遅延時間はグルーブに記録する場合に記録ビットにアシンメトリが生じないΔＴに設定されている。極性切り替え回路３２はランドとグルーブに応じてスイッチ３４を切り替えることで、ランドに記録する時は遅延回路３７ａに切り替え、グルーブに記録する時には遅延回路３７ｂに切り替える。従って、ランドとグルーブそれぞれに最適記録を行うことができる。
【００２４】
また、通常、記録時と再生時のクロックは別々に生成され、再生時のクロックは再生信号とＰＬＬをかけることで作り出すので、記録ビットが記録時のクロックから一様に遅延することは実質的には問題を生じない。
【００２５】
（第３の実施形態）
図５は本発明の再生時にアシンメトリ補正を行う場合の一実施形態を示すブロック図である。図中４１は光ピックアップ（図示せず）によって再生された再生信号を二値化する二値化回路、４２、４５、４６はＪＫ−ＦＦ回路である。４３は水晶発振器、４５はＰＬＬ回路、４８ａ、４８ｂは遅延回路、４９はスイッチ、５０は極性切り替え器、５１ａは再生信号の立ち上がりエッジを検出する立ち上がりエッジ検出回路、５１ｂは再生信号の立ち下がりエツジを検出する立ち下がりエッジ検出回路である。更に、５２は立ち上がりエッジ検出回路５１ａと立ち下がりエッジ検出回路５１ｂの出力信号に基づいて信号処理を行い、情報再生を行う信号処理回路である。なお、ディスクとしては、例えば、図７に示す層構成とし、ランドとグルーブの両方の情報を再生するものとする。
【００２６】
図６は各部の信号を示す。図６（ａ）〜（ｇ）の信号は図５の（ａ）〜（ｇ）の信号に対応している。まず、図６（ａ）は図示しない光ピックアップで検出されたＭＯ再生信号を示す。このＭＯ信号は図６（ｂ）に示すように二値化回路４１でデジタル信号に変換される。その後、まず、ＪＫ−ＦＦ回路４２に入力され、図６（ｃ）に示すように立ち上がりエッジのみが抽出される。
【００２７】
ＰＬＬ回路４５はデータ再生信号クロックの二倍の周波数の水晶発振器４３からの出力とＪＫ−ＦＦ４２の出力の位相をロックする。図６（ｄ）はＰＬＬ回路４５の出力信号を示す。このＰＬＬ回路４５の出力信号はＪＫ−ＦＦ回路４６を用いて図６（ｅ）に示すように立ち上がりエッジで二分周された後、更に、ＪＫ−ＦＦ回路４７を用いて立ち下がりエッジで二分周される。これにより、図６（ｆ）に示すようにエッジ抽出用のウィンドウが生成される。
【００２８】
一方、立ち上がりエッジ検出回路５１ａは、二値化回路４１の出力から微分回路或いは単安定マルチバイブレータ等を使って立ち上がりエッジを検出し、ＪＫ−ＦＦ回路４７で生成されたデータウィンドウと比較することで、基準クロックに対してどの位置で立ち上がりエッジが生じているか立ち上がりエッジのタイミングを判別する。
【００２９】
また、立下りエッジ検出回路５１ｂは、二値化回路４１の出力から検出した立ち下がりエッジと、ＪＫ−ＦＦ回路４７の出力を２×ΔＴ遅延させたデータウィンドウ（図６（ｇ））とを比較することで、立ち下がりエッジのタイミングを判別する。このようにして、立ち上がりエッジ、立ち下がりエッジを最適なウィンドウでタイミングの判別を行い、信号処理回路５２において両者を合成してデータの復調を行うことで正確な情報の再生を行う。
【００３０】
ここで、遅延回路４８ａ、４８ｂはｊＫ−ＦＦ回路４７の出力を２×ΔＴ遅延させてデータウィンドウを作成しているが、この遅延すべきΔＴは第２の実施形態と同様にランドとグルーブで異なっている。即ち、遅延回路４８ａはランド用、遅延回路４８ｂはグルーブ用として設けられ、それぞれランド、グルーブを再生する場合にアシンメトリをキャンセルするような遅延時間ΔＴに設定されている。そして、極性切り替え回路５０によりスイッチ４９をランドとグルーブに応じて切り替えながら再生することで、ランドもグルーブも常に最適な情報再生を行う。
【００３１】
（第４の実施形態）
第４の実施形態では、図１に示す電源ＥＬ，ＥＧ，スイッチをＤ／Ａコンバータに置き換え、デジタル信号によってオフセット磁界の制御可能な構成とするものである。これにより、媒体個々のばらつきにも対応可能となり、媒体を装置内に挿入した際、公知のテスト領域においてランド、グルーブそれぞれの最適なオフセット磁界を求めた後に実際の情報記録再生を行うことも可能である。
【図面の簡単な説明】
【００３２】
【図１】本発明による光磁気記録再生装置の第１の実施形態を示すブロック図である。
【図２】図１の実施形態の各部の波形を示す図である。
【図３】本発明の第２の実施形態を示すブロック図である。
【図４】図３の実施形態の各部の波形を示す図である。
【図５】本発明の第３の実施形態を示すブロック図である。
【図６】図５の実施形態の各部の波形を示す図である。
【図７】記録時に隣接トラックからかかる浮遊磁界を説明する図である。
【図８】記録時に生じるアシンメトリを説明する図である。
【図９】再生時に隣接トラックからかかる浮遊磁界を説明する図である。
【符号の説明】
【００３３】
１  磁壁移動層
２  遮断層
３  メモリ層
２１  ランド
２２  グルーブ
３１  データ発生回路
３２、５０  極性切り替え器
３３  ドライバ回路
３４、４９  スイッチ
３５ａ、３５ｂ  電源
３６  コイル
３７ａ、３７ｂ、４８ａ、４８ｂ  遅延回路
３８  論理積回路
４１  二値化回路
４２、４６、４７  ＪＫ−ＦＦ回路
４３  水晶発振器
４５  ＰＬＬ回路
５１ａ  立ち上がりエツジ検出回路
５１ｂ  立ち下がりエッジ検出回路
５２  信号処理回路
１０１  基板
１０２  干渉層
１０３  保護層
【図１】
2005267747.tif 000003
【図２】
2005267747.tif 000004
【図３】
2005267747.tif 000005
【図４】
2005267747.tif 000006
【図５】
2005267747.tif 000007
【図６】
2005267747.tif 000008
【図７】
2005267747.tif 000009
【図８】
2005267747.tif 000010
【図９】
2005267747.tif 000011